(57)【要約】【課題】条数の多い目地を容易に形成でき、しかも仕上り外観もきわめて良好なタイル施工構造を提供することを目的とする。【解決手段】タイル１の表面のうち凹条５を除く最表面が施釉されて釉７で覆われていると共に、凹条５の底面も施釉されて防水層としての釉８で覆われている。タイル１は、下地４に対し有機系接着剤３で張り付けられている。タイル１同士の間には目地間隙があいている。塗り目地を施すことにより、この目地間隙にセメント系目地材２（２ａ）が目地詰めされ、凹条５にセメント系目地材２（２ｂ）が目地詰めされている。目地材２ａ，２ｂのタイル１への吸水が抑制され、両目地材が略同色となる。【選択図】図１
2008179977.tif 000002
【特許請求の範囲】
【請求項１】
表面に凹条が設けられたタイルの施工構造であって、
複数枚の該タイルが相互間に目地間隙をあけて有機系接着剤で下地に張り付けられ、該凹条及び目地間隙にセメント系目地材が充填されているタイル施工構造において、
該凹条の底面に防水層が設けられていることを特徴とするタイル施工構造。
【請求項２】
請求項１において、さらに前記タイルの側端面に防水層が設けられていることを特徴とするタイル施工構造。
【請求項３】
請求項１又は２において、前記防水層は釉よりなることを特徴とするタイル施工構造。
【請求項４】
請求項１ないし３のいずれか１項において、前記凹条を挟んで隣接するタイル表面の２領域が異色であることを特徴とするタイル施工構造。
【発明の詳細な説明】
【技術分野】
【０００１】
本発明はタイル施工構造に係り、特に表面に擬似目地と通称される凹条を有したタイルの施工構造に関する。
【背景技術】
【０００２】
タイルを壁面や床面に張り付け施工する場合、タイル同士の間に所定の目地間隔をあけてタイルをモルタルや接着剤で張り付けた後、塗り目地法によって目地詰めすることが多い。
【０００３】
なお、塗り目地法とはスラリー状の目地材料をタイル張り付け面の全面に塗布して塗り伸ばし、目地に充填した後、タイル表面の目地材料を拭き取るようにした目地充填方法である。
【０００４】
このような方形のタイルを塗り目地法によって施工した構造にあっては、目地がタイル同士の間にのみ現われることになり、意匠のバリエーションが制限される。タイルを小さくすれば目地の条数を増やすことができるが、タイル張り付けの手間がかかり施工能率がかなり悪くなる。
【０００５】
このような問題に対処するために、図４に示すように、表面に凹条５を有するタイル６を下地４に張り付けて塗り目地することが考えられる。このタイル６を用いれば、目地材２はタイル６同士の目地間隙だけでなく凹条５にも充填されるので、タイルを小形化することなく目地の条数を増やすことができ、タイル張り付けの手間も増えない。なお、図４（ｃ）はこのタイル６の斜視図、図４（ａ）はこのタイル６を下地４に張り付けた（塗り目地前の）斜視断面図、図４（ｂ）は塗り目地後の斜視断面図である。
【０００６】
上記のような凹条５は擬似目地と称されることがある。このような擬似目地を有したタイルは、実開昭６２−７５１５１号等に記載されている。
【０００７】
なお、タイル６を下地に張り付ける場合、有機系接着剤３を用いることがある。この有機系接着剤は、水を透過させにくい性質を有する。
【特許文献１】実開昭６２−７５１５１号公報
【発明の開示】
【発明が解決しようとする課題】
【０００８】
有機系接着剤を用いて図４のようにタイル張り施工した壁又は床においては、タイル６間の目地間隙に充填されたセメント系目地材２（２ａ）中の水分が下地４に吸収されにくいのに対し、凹条５に充填された目地材２（２ｂ）はタイル６に吸収され易いので、目地詰めした後、硬化する際に、目地材２ａ，２ｂで色合いに差異が生じ、外観上の違和感が生じることがある。
【０００９】
本発明は、条数の多い目地を容易に形成でき、しかも仕上り外観もきわめて良好なタイル施工構造を提供することを目的とする。
【課題を解決するための手段】
【００１０】
請求項１のタイル施工構造は、表面に凹条が設けられたタイルの施工構造であって、複数枚の該タイルが相互間に目地間隙をあけて有機系接着剤で下地に張り付けられ、該凹条及び目地間隙にセメント系目地材が充填されているタイル施工構造において、該凹条の底面に防水層が設けられていることを特徴とするものである。
【００１１】
請求項２のタイル施工構造は、請求項１において、さらに前記タイルの側端面に防水層が設けられていることを特徴とするものである。
【００１２】
請求項３のタイル施工構造は、請求項１又は２において、前記防水層は釉よりなることを特徴とするものである。
【００１３】
請求項４のタイル施工構造は、請求項１ないし３のいずれか１項において、前記凹条を挟んで隣接するタイル表面の２領域が異色であることを特徴とするものである。
【発明の効果】
【００１４】
本発明のタイル施工構造にあっては、凹条の底面に防水層が設けられているので、凹条に目地詰めされたセメント系目地材からタイルへの吸水が抑制され、凹条のセメント系目地材と本来のタイル間の目地間隙のセメント系目地材とで水分含有率が略々等しいものとなる。これにより、凹条と目地間隙とでセメント系目地材が略同色となり、外観が良好となる。
【００１５】
請求項２のタイル施工構造にあっては、タイルの側端面からの吸水が抑制される。この側端面と目地間隙のセメント系目地材との接触面積が大きいところから、この側端面からの吸水を防水層によって抑制することにより、目地間隙のセメント系目地材と凹条のセメント系目地材との水分含有率を等しくし易くなる。
【００１６】
請求項３の通り、防水層を釉とした場合、タイル表面の施釉に併せて防水層を形成することが可能である。
【００１７】
請求項４のタイル施工構造にあっては、凹条（擬似目地）を挟んだ２領域が異色であるため、セメント目地材硬化後の色の違いが目立ちにくい。さらに、タイル仕上り外観は、小さいタイルを施工したように視覚され、美観が向上する。
【発明を実施するための最良の形態】
【００１８】
以下、図面を参照して実施の形態について説明する。
【００１９】
図１（ａ）は実施の形態に係るタイル施工構造を示す断面図、図１（ｂ）は別の実施の形態に係るタイル施工構造を示す断面図、図２はさらに別の実施の形態に係るタイル施工構造を示す断面図である。図３（ａ）は異なる実施の形態に用いられるタイルの斜視図、図３（ｂ）は同（ａ）のタイルを用いたタイル施工構造の斜視図である。なお、図１〜３では目地幅及び凹条幅が実際より大きく示されている。
【００２０】
図１（ａ）において、タイル１は、表面に複数の凹条５が平行に設けられたものであり、前記図４（ｃ）のタイル６と同様の外観のものである。このタイル１がタイル６と異なるのは、タイル１の表面のうち凹条５を除く最表面が施釉（釉掛け及び焼成）されて釉７で覆われていると共に、凹条５の底面も施釉されて防水層としての釉８で覆われている点にあり、その他はタイル１とタイル６とは同一である。
【００２１】
この釉８は、釉７を形成するときに併せて形成されるのが好ましい。なお、スプレー掛けにより釉掛けするときには、釉７と一緒に釉８も釉掛けされる。
【００２２】
図１では凹条５は２条設けられているが、１条又は３条以上であってもよい。
【００２３】
このタイル１は、下地４に対し有機系接着剤３で張り付けられている。有機系接着剤３はアクリル系、ウレタン系、エポキシ系、変成シリコン系のものから、適宜選択して使用する。タイル１同士の間には目地間隙があいている。塗り目地を施すことにより、この目地間隙にセメント系目地材２（２ａ）が目地詰めされ、凹条５にもセメント系目地材２（２ｂ）が目地詰めされている。
【００２４】
このように構成されたタイル施工構造にあっては、目地間隙に目地詰めされたセメント系目地材２ａから下地４への給水は、有機系接着剤３により抑制される。また、凹条５の底面に防水層として釉８が設けられているので、凹条５に目地詰めされたセメント系目地材２ｂからタイル１への吸水が抑制される。この結果、凹条５のセメント系目地材２ｂと本来のタイル間の目地間隙のセメント系目地材２ａとで水分含有率が略々等しいものとなる。これにより、セメント系目地材２ａ，２ｂが略同色となり、外観が良好となる。
【００２５】
図１（ｂ）の実施の形態では、タイル１Ａの側端面にも防水層として釉９が設けられている。その他の構成は、図１（ａ）と同一であり、同一符号は同一部分を示している。
【００２６】
この図１（ｂ）のタイル施工構造にあっては、タイル１Ａの側端面からの吸水が釉９によって抑制される。この側端面と目地間隙のセメント系目地材２ａとの接触面積が大きいところから、この側端面からの吸水を防水層としての釉９によって抑制することにより、目地間隙のセメント系目地材２ａと凹条のセメント系目地材２ｂとの水分含有率を等しくし、セメント系目地材硬化後の両者を色合いを略同一とすることが容易となる。
【００２７】
図２の実施の形態では、タイル１Ｂの凹条５’がアリ形（入口よりも奥の方が幅広となっている形状）のものとされている。このアリ形の凹条５’の両側面にも防水層として釉１０が設けられている。図２のその他の構成は図１（ｂ）と同一であり、同一符号は同一部分を示している。
【００２８】
この実施の形態でも、タイル１Ｂの側端面に防水層として釉９が設けられているので、セメント系目地材２ａからタイル１Ｂへの吸水が抑制される。
【００２９】
この実施の形態では、凹条５’の底面と両側面にも釉８，１０が設けられているので、セメント系目地材２ｂからタイル１Ｂへの吸水が一段と抑制される。これにより、目地材２ａ，２ｂの水分含有率を略等しくし、両者の色合いを略等しくすることが容易となる。
【００３０】
なお、この実施の形態では、目地材２ｂとタイル１Ｂとの全ての界面に釉８，１０が存在し、目地材２ｂのタイル１Ｂの素地との直接の付着はない。しかしながら、凹条５’をアリ形としているため、目地材２ｂが凹条５’に嵌合保持されるようになり、目地材２ｂが脱落することはない。
【００３１】
上記実施の形態では、凹条５，５’は平行な直線状であり、目地はストライプ状に視覚されるが、本発明では図３（ａ）のタイル１０のように格子状の凹条１１を設けてもよい。
【００３２】
この凹条１１の底面に防水層として釉１２が設けられている。なお、タイル１０の側端面にも釉を設けてもよく、図示は省略するが、凹条１１をアリ形とし凹条の側面にも釉を設けてもよい。
【００３３】
図３（ｂ）のように、凹条１１とタイル１０間の目地間隙とに連続してセメント系目地材２を目地詰めすることにより、格子状の目地が形成される。この格子状の目地は全体として略同色であり美観に優れる。
【００３４】
本発明では、凹条を挟んで隣接するタイル表面領域同士を異色としてもよい。このようにすれば、小さいタイルを施工したように視覚され、美観が向上する。
【００３５】
図３（ｂ）では、Ａ，Ｂ，Ｃはそれぞれ互いに異なる色を示している。この場合、正方形のモザイクタイルを多数施工したように施工され、美観が著しく向上する。色Ａ，Ｂ，Ｃの組み合わせを例示すると、次の通りである。
Ａ：白、Ｂ：グレー、Ｃ：黒
Ａ：白、Ｂ：オレンジ、Ｃ：赤
Ａ：白、Ｂ：青、Ｃ：紺
Ａ：白、Ｂ：黄緑、Ｃ：緑
Ａ：赤、Ｂ：黄、Ｃ：オレンジ
Ａ：青、Ｂ：黄、Ｃ：黄緑
【００３６】
上記実施の形態は、いずれも本発明の一例であり、本発明は図示の態様に限定されない。例えば、釉以外の材料によって防水層を形成してもよい。
【図面の簡単な説明】
【００３７】
【図１】図１（ａ）は実施の形態に係るタイル施工構造を示す断面図、図１（ｂ）は別の実施の形態に係るタイル施工構造を示す断面図である。
【図２】さらに別の実施の形態に係るタイル施工構造を示す断面図である。
【図３】図３（ａ）は異なる実施の形態に用いられるタイルの斜視図、図３（ｂ）は同（ａ）のタイルを用いたタイル施工構造の斜視図である。
【図４】従来例の説明図である。
【符号の説明】
【００３８】
１，１Ａ，１Ｂ，１０  タイル
２，２ａ，２ｂ  セメント系目地材
３  有機系接着剤
５，５’，１１  凹条
７，８，９，１２  釉
【図１】
2008179977.tif 000003
【図２】
2008179977.tif 000004
【図３】
2008179977.tif 000005
【図４】
2008179977.tif 000006